(57)【特許請求の範囲】
【請求項１】
冷媒と外気との間で熱交換を行う第一の熱交換器と、
前記冷媒を圧縮する低段側圧縮機および高段側圧縮機からなる２段階構成の圧縮機と、
前記圧縮機で圧縮された前記冷媒と加熱対象の水との間で熱交換を行うことで前記水を加熱する第二の熱交換器と、
前記第二の熱交換器を経た前記冷媒を液冷媒とガス冷媒とに分離するレシーバと、
前記レシーバで分離された前記ガス冷媒を前記圧縮機の前記低段側圧縮機と前記高段側圧縮機との間にインジェクションするインジェクション回路と、
前記インジェクション回路を開閉するインジェクション電磁弁と、
前記インジェクション電磁弁の開閉を制御する制御部と、を備え、
前記制御部は、前記第二の熱交換器の容量が前記第一の熱交換器の容量よりも大きいとき、前記第二の熱交換器の出口過冷却度、前記第二の熱交換器の圧力または吐出圧力の少なくとも一つを検出し、その前記検出値を予め定めた基準値と比較し、所定条件を満たしたときにインジェクション電磁弁を開いてインジェクションをＯＮにすることを特徴とする給湯システム。
【請求項２】
冷媒と外気との間で熱交換を行う第一の熱交換器と、
前記冷媒を圧縮する低段側圧縮機および高段側圧縮機からなる２段階構成の圧縮機と、
前記圧縮機で圧縮された前記冷媒と加熱対象の水との間で熱交換を行うことで前記水を加熱する第二の熱交換器と、
前記第二の熱交換器を経た前記冷媒を液冷媒とガス冷媒とに分離するレシーバと、
前記レシーバで分離された前記ガス冷媒を前記圧縮機の前記低段側圧縮機と前記高段側圧縮機との間にインジェクションするインジェクション回路と、
前記インジェクション回路を開閉するインジェクション電磁弁と、
前記インジェクション電磁弁の開閉を制御する制御部と、を備え、
前記制御部は、前記第一の熱交換器の容量が前記第二の熱交換器の容量よりも大きいとき、前記第一の熱交換器の出口過熱度または吸入過熱度、前記第一の熱交換器の冷媒圧力または吸入圧力の少なくとも一つを検出し、その前記検出値を予め定めた基準値と比較し、所定条件を満たしたときにインジェクション電磁弁を開いてインジェクションをＯＮにすることを特徴とする給湯システム。
【請求項３】
冷媒と外気との間で熱交換を行う第一の熱交換器と、
前記冷媒を圧縮する低段側圧縮機および高段側圧縮機からなる２段階構成の圧縮機と、
前記圧縮機で圧縮された前記冷媒と加熱対象の水との間で熱交換を行うことで前記水を加熱する第二の熱交換器と、
前記第二の熱交換器を経た前記冷媒を液冷媒とガス冷媒とに分離するレシーバと、
前記レシーバで分離された前記ガス冷媒を前記圧縮機の前記低段側圧縮機と前記高段側圧縮機との間にインジェクションするインジェクション回路と、
前記インジェクション回路を開閉するインジェクション電磁弁と、
前記インジェクション電磁弁の開閉を制御する制御部と、を備え、
前記制御部は、前記第一の熱交換器の容量と前記第二の熱交換器の容量とがほぼ等しいとき、前記第一の熱交換器の出口過熱度または吸入過熱度、前記第一の熱交換器の冷媒圧力または吸入圧力の少なくとも一つを検出するとともに、前記第二の熱交換器の出口過冷却度、前記第二の熱交換器の圧力または吐出圧力の少なくとも一つを検出し、それぞれの前記検出値を予め定めた基準値と比較し、所定条件を満たしたときにインジェクション電磁弁を開いてインジェクションをＯＮにすることを特徴とする給湯システム。
【発明の詳細な説明】
【技術分野】
【０００１】
本発明は、ヒートポンプ式の給湯システムに関する。
【背景技術】
【０００２】
通常、給湯システムに用いられるヒートポンプ装置は、エバポレータ、アキュムレータ、圧縮機、ガスクーラを備えた冷凍サイクル回路により構成されている。
このようなヒートポンプ装置を用いた給湯システムにおいて、低外気温時における給湯能力を向上させるため、冷凍サイクル回路中から得た冷媒ガスを圧縮機にインジェクションし、ガスクーラに流入する冷媒流量を増加させる手法がある（例えば特許文献１参照。）。
【０００３】
冷凍サイクル回路中から冷媒ガスを得るには、熱交換器を高圧側熱交換器と低圧側熱交換器とから構成し、これら高圧側熱交換器と低圧側熱交換器の間に中間圧レシーバと呼ばれる気液分離器を設け、気液分離器から飽和ガスを高圧側熱交換器と低圧側熱交換器との間にインジェクションする。このとき、圧縮機と気液分離器の間に電磁弁等の開閉手段を設けて、インジェクションをＯＮ／ＯＦＦする方法がある。
【先行技術文献】
【特許文献】
【０００４】
【特許文献１】特開２００６−１１２７０８号公報
【特許文献２】特開平１１−１４２００１号公報
【特許文献３】特許第４４０８４１３号公報
【発明の概要】
【発明が解決しようとする課題】
【０００５】
しかしながら、気液分離器が、液相状態の冷媒ガスで満たされてしまっている、満液の状態でインジェクションをＯＮすると、圧縮機に密度の高い液冷媒が流れ込み、圧縮機が故障してしまうという問題がある。
【０００６】
そこで、中間レシーバに液位センサを設け、中間レシーバにおける液相状態の冷媒ガスが規定レベル以上のときに液冷媒の圧縮機への流れ込みを防止する制御を行う方式が提案されている（特許文献２参照。）。
しかし、この方式では、液位センサが必要であり、コストがかかるという問題がある。
【０００７】
また、インジェクションする冷媒の過熱度を検出することで、液冷媒の圧縮機への流れ込みを防止する制御を行う方式も提案されている（特許文献３参照。）。
しかし、この方式では、インジェクションをＯＮして冷媒が流れない限り、過熱度を判定することができない。すなわち、この方式では、過熱度の判定時に中間レシーバに液冷媒が満液の状態であると、圧縮機に液冷媒が流れてしまうことになる。
【０００８】
本発明は、このような技術的課題に基づいてなされたもので、液位センサを設けることなく、低コストで圧縮機に液冷媒が流れ込むのを確実に防止することのできる給湯システムを提供することを目的とする。
【課題を解決するための手段】
【０００９】
かかる目的のもとになされた本発明の給湯システムは、冷媒と外気との間で熱交換を行う第一の熱交換器と、冷媒を圧縮する低段側圧縮機および高段側圧縮機からなる２段階構成の圧縮機と、圧縮機で圧縮された冷媒と加熱対象の水との間で熱交換を行うことで水を加熱する第二の熱交換器と、第二の熱交換器を経た冷媒を液冷媒とガス冷媒とに分離するレシーバと、レシーバで分離されたガス冷媒を圧縮機の低段側圧縮機と高段側圧縮機との間にインジェクションするインジェクション回路と、インジェクション回路を開閉するインジェクション電磁弁と、インジェクション電磁弁の開閉を制御する制御部と、を備える。そして、制御部は、第二の熱交換器の容量が第一の熱交換器の容量よりも大きいとき、第二の熱交換器の出口過冷却度、第二の熱交換器の圧力または吐出圧力の少なくとも一つを検出し、その検出値を予め定めた基準値と比較し、所定条件を満たしたときにインジェクション電磁弁を開いてインジェクションをＯＮにすることを特徴とする。
このようにして、第一の熱交換器の出口過熱度または吸入過熱度、第一の熱交換器の冷媒圧力または吸入圧力、第二の熱交換器の出口過冷却度、第二の熱交換器の圧力または吐出圧力の少なくとも一つを検出し、その検出値を予め定めた基準値と比較し、所定条件を満たしたときにインジェクション電磁弁を開いてインジェクションをＯＮにするようにしたので、液位センサを用いることなく、中間圧レシーバの液位が満液でない場合にインジェクションをＯＮにすることができる。また、インジェクションをＯＮして冷媒を流すことなく、事前にインジェクションをＯＮにするか否かの判定を行える。
【００１１】
また、本発明において、制御部の処理として、第一の熱交換器の容量が第二の熱交換器の容量よりも大きいとき、第一の熱交換器の出口過熱度または吸入過熱度、第一の熱交換器の冷媒圧力または吸入圧力の少なくとも一つを検出し、その検出値を予め定めた基準値と比較し、所定条件を満たしたときにインジェクション電磁弁を開いてインジェクションをＯＮにすることができる。
【００１２】
さらに、本発明において、制御部の処理として、第一の熱交換器の容量と第二の熱交換器の容量とがほぼ等しいとき、第一の熱交換器の出口過熱度または吸入過熱度、第一の熱交換器の冷媒圧力または吸入圧力の少なくとも一つを検出するとともに、第二の熱交換器の出口過冷却度、第二の熱交換器の圧力または吐出圧力の少なくとも一つを検出し、それぞれの検出値を予め定めた基準値と比較し、所定条件を満たしたときにインジェクション電磁弁を開いてインジェクションをＯＮにすることができる。
【発明の効果】
【００１３】
本発明によれば、第一の熱交換器の出口過熱度または吸入過熱度、第一の熱交換器の冷媒圧力または吸入圧力、第二の熱交換器の出口過冷却度、第二の熱交換器の圧力または吐出圧力の少なくとも一つを検出し、その検出値を予め定めた基準値と比較し、所定条件を満たしたときにインジェクション電磁弁を開いてインジェクションをＯＮにするようにしたので、液位センサを用いることなく、中間圧レシーバの液位が満液でない場合にインジェクションをＯＮにすることができる。また、インジェクションをＯＮして冷媒を流すことなく、事前にインジェクションをＯＮにするか否かの判定を行える。このようにして、低コストで高段側圧縮機に液冷媒が流れ込むのを確実に防止することが可能となる。
【図面の簡単な説明】
【００１４】
【図１】本実施の形態における給湯システムの構成を示す図である。
【図２】本実施形態におけるインジェクションをＯＮするときの処理の流れを示す図である。
【発明を実施するための形態】
【００１５】
以下、添付図面に示す実施の形態に基づいてこの発明を詳細に説明する。
図１は、本実施の形態における給湯システム１の構成を説明するための図である。
図１に示すように、給湯システム１は、ヒートポンプユニット（ヒートポンプ装置）２と、貯湯ユニット３とから構成されている。
ヒートポンプユニット２は、ＣＯ２冷媒が循環する冷媒回路を構成するものであり、室外の空気である外気と、冷媒との間で熱交換を行うものである。
ヒートポンプユニット２には、圧縮機２１と、エバポレータ（第一の熱交換器）２２と、アキュムレータ２３と、ガスクーラ（第二の熱交換器）２４と、中間圧レシーバ２５と、制御部２９と、が設けられている。
【００１６】
圧縮機２１は、一体に構成された電動モータにより回転駆動されることにより、低圧の冷媒を吸入して圧縮し、高圧の冷媒を吐出するものである。本実施形態における圧縮機２１は、低段側圧縮機２１Ｌと高段側圧縮機２１Ｈとからなる２段構成を有している。このような、低段側圧縮機２１Ｌと高段側圧縮機２１Ｈとしてはスクロール型圧縮機や、ロータリ式圧縮機など公知の形式の圧縮機を用いることができ、特に限定するものではない。
【００１７】
エバポレータ２２は、外気と冷媒との間で熱交換を行うものである。エバポレータ２２としては、公知の熱交換器を用いることができ、特に限定するものではない。
【００１８】
アキュムレータ２３は、圧縮機２１に流入する冷媒に含まれる液相の冷媒を分離し、気相の冷媒のみを圧縮機２１に供給するものである。なお、アキュムレータ２３としては、公知のものを用いることができ、特に限定するものではない。
【００１９】
ガスクーラ２４は、貯湯ユニット３側の水と冷媒とで熱交換することによって水を加熱する。
【００２０】
中間圧レシーバ２５は、ガスクーラ２４を経た冷媒を飽和液状態の冷媒と飽和ガス状態の冷媒とに分離する。そして、中間圧レシーバ２５で分離された飽和液状態の冷媒はエバポレータ２２に供給され、飽和ガス状態の冷媒は、インジェクション回路５０を経て、圧縮機２１において低段側圧縮機２１Ｌと高段側圧縮機２１Ｈとの中間にインジェクションされる。
【００２１】
このようなヒートポンプユニット２の冷凍サイクル回路には、ガスクーラ２４の出口側と、エバポレータ２２の入口側とに、電子膨張弁２６、２７が設けられている。電子膨張弁２６、２７は、高圧の冷媒を断熱膨張させることにより減圧して、低圧の冷媒とするものであり、制御部２９により開度が制御される。
【００２２】
中間圧レシーバ２５の飽和ガス状態の冷媒の出口側には、インジェクション電磁弁２８が設けられている。そして、インジェクション電磁弁２８は、その開閉動作（開度）が制御部２９により給湯システム１の運転状態に応じて制御され、これによってインジェクションがＯＮ／ＯＦＦされる。
【００２３】
貯湯ユニット３は、断熱材で覆われた貯湯タンク３０を備える。
ヒートポンプユニット２には、この貯湯タンク３０内の水をガスクーラ２４に送り込む水ポンプ３１が設けられている。
そして、水ポンプ３１の動作は、制御部２９により制御される。このような貯湯ユニット３は、貯湯タンク３０から水ポンプ３１によって送り込まれた加熱対象としての水が、ガスクーラ２４においてヒートポンプユニット２側の冷媒と熱交換することで加熱される。
【００２４】
このような給湯システム１においては、圧縮機２１により圧縮された高温高圧の超臨界状態の冷媒は、ガスクーラ２４に導かれる。当該冷媒は、ガスクーラ２４において貯湯ユニット３側の水との間で熱交換、つまり水に向かって放熱する。
すると高温高圧の超臨界状態の冷媒は、ガスクーラ２４の内部で冷却され、低温高圧の超臨界状態の冷媒となる。
その一方で、水は、ガスクーラ２４において冷媒の熱を吸収し、加熱された湯として貯湯タンク３０に供給される。
【００２５】
ガスクーラ２４から流出した冷媒は、電子膨張弁２６を経て、中間圧レシーバ２５において飽和ガスと飽和液とに分離され、飽和液状態の冷媒は、電子膨張弁２７を経て、エバポレータ２２に導かれ、エバポレータ２２において外気との間で熱交換、つまり、外気の熱を吸収する。そのため、低温低圧の液相の冷媒は、エバポレータ２２の内部で蒸発し、気相の冷媒となる。
エバポレータ２２を流出した冷媒は、アキュムレータ２３に流入する。冷媒はアキュムレータ２３において、気相の冷媒と液相の冷媒とに分離され、気相の冷媒は圧縮機２１に吸入される。吸入された冷媒は、圧縮機２１により圧縮された後、再びガスクーラ２４に向けて吐出され、上述の過程が繰り返される。
【００２６】
このような給湯システム１においては、中間圧レシーバ２５からの飽和ガス状態の冷媒が、圧縮機２１の低段側圧縮機２１Ｌと高段側圧縮機２１Ｈとの中間にインジェクションされる。これにより、インジェクションされる分の冷媒を圧縮するのは高段側圧縮機２１Ｈのみとなるため、圧縮仕事は低段側圧縮機２１Ｌが吸入する冷媒を圧縮する分の仕事量と高段側圧縮機２１Ｈが吸入する冷媒（低段側圧縮機２１Ｌが吸入する冷媒とインジェクションされる分の冷媒の合算）を圧縮する分の仕事量との合計となる。
一方、インジェクションを行わない場合の圧縮仕事は、低段側圧縮機２１Ｌが吸入する冷媒を圧縮する分の仕事量と高段側圧縮機２１Ｈが吸入する冷媒（低段側圧縮機２１Ｌが吸入する冷媒に等しい）を圧縮する分の仕事量の合計となる。
このため、インジェクションをする場合、インジェクションを行わない場合のいずれにおいても、同じ冷媒循環量が必要な場合、インジェクションすることにより、低段側圧縮機２１Ｌでインジェクションされる分の冷媒を圧縮する仕事量が不要になるため、圧縮機の仕事量がインジェクションしない場合に比べて小さくできる。
【００２７】
本実施形態では、制御部２９において、中間圧レシーバ２５からの飽和ガス状態の冷媒を圧縮機２１にインジェクションするに際し、中間圧レシーバ２５の液位が満液状態であるか否かを推定し、その結果に応じてインジェクションを制御する。図２は、その制御の流れを示す図である。
この図２に示すように、制御部２９においては、ヒートポンプユニット２が運転を開始すると（ステップＳ１０１）、エバポレータ２２およびガスクーラ２４のいずれか一方または双方における所定のパラメータ（後述）を検出し、その検出値に基づいて中間圧レシーバ２５の冷媒量を推定する処理を実行する（ステップＳ１０２、Ｓ１０３）。その結果、所定条件を満たした場合に、インジェクションをＯＮとしてインジェクション電磁弁２８を開き、中間圧レシーバ２５から飽和ガス状態の冷媒を圧縮機２１にインジェクションする（ステップＳ１０４）。
【００２８】
ステップＳ１０２、Ｓ１０３では、検出する熱交換器のパラメータ複数の形態がありうるので、以下にそれを列挙する。
（ケース１−１）
まずステップＳ１０２では、エバポレータ２２の出口過熱度または吸入過熱度を検出することによりエバポレータ２２内の冷媒量を推定する。ここで、エバポレータ２２の出口過熱度、吸入過熱度は、いずれか一方を「各部位に取り付けられた温度センサで検知する温度」と「各部位に取り付けられた圧力センサから換算する圧力飽和温度」の差分を演算する等の既知の手法により検出すればよい。なお、圧力飽和温度は、圧力センサで検知する圧力から、制御部に予め持たしている圧力−飽和温度対応表を使って換算するなどの方法がある。
【００２９】
そして、ステップＳ１０３では、
エバポレータ２２の出口過熱度または吸入過熱度の検出値＜予め定めた基準過熱度
のときにインジェクションをＯＮにし、インジェクション電磁弁２８を開く。
【００３０】
これは、エバポレータ２２の出口過熱度、吸入過熱度が小さければ、エバポレータ２２内が気液２相状態の冷媒で満たされている（過熱ガスでない）と推定できる。したがって、エバポレータ２２内に冷媒があり中間圧レシーバ２５は満液でないと判断（推定）して、インジェクションをＯＮにするものである。
【００３１】
（ケース１−２）
まずステップＳ１０２では、エバポレータ２２の圧力または吸入圧力を検出することによりエバポレータ２２内の冷媒量を推定する。ここで、エバポレータ２２の圧力または吸入圧力は圧力センサ等の既知の手法により検出すればよい。
【００３２】
そして、ステップＳ１０３では、
エバポレータ２２の圧力または吸入圧力の検出値＞予め定めた基準圧力
のときインジェクションをＯＮにする。
【００３３】
これは、エバポレータ２２の圧力または吸入圧力が高ければ、エバポレータ２２内の冷媒の密度が大きいため、エバポレータ２２内に冷媒があり、中間圧レシーバ２５は満液でないと判断して、インジェクションをＯＮにするものである。
【００３４】
（ケース１−３）
まずステップＳ１０２では、（ケース１−１）＋（ケース１−２）の組み合わせでエバポレータ２２内の冷媒量を推定する。すなわち、エバポレータ２２の出口過熱度または吸入過熱度、およびエバポレータ２２の圧力または吸入圧力を検出することによりエバポレータ２２内の冷媒量を推定する。
【００３５】
そして、ステップＳ１０３では、
エバポレータ２２の出口過熱度または吸入過熱度の検出値＜予め定めた基準過熱度
かつ
エバポレータ２２の圧力の検出値＞予め定めた基準圧力
のときインジェクションをＯＮにする。
【００３６】
このようにして、エバポレータ２２の出口過熱度または吸入過熱度の検出値と、エバポレータ２２の圧力または吸入圧力の検出値とを組み合わせることで、より正確にエバポレータ２２内の冷媒量を推定できる。
【００３７】
（ケース２−１）
まずステップＳ１０２では、ガスクーラ２４の出口過冷却度を検出することによりガスクーラ２４の冷媒量を推定する。なお、ガスクーラ２４の圧力は臨界圧力を超えて超臨界状態で運転することがあるが、出口過冷却度を検出するためにはガスクーラ２４の圧力が臨界圧力以下である必要があるため、超臨界で運転している時はこの方法を取ることが出来ない。ここで、ガスクーラ２４の出口過冷却度は「各部位に取り付けられた圧力センサから換算する圧力飽和温度」と「各部位に取り付けられた温度センサで検知する温度」の差分を演算する等の既知の手法により検出すればよい。なお、圧力飽和温度は、圧力センサで検知する圧力から、制御部に予め持たしている圧力−飽和温度対応表を使って換算するなどの方法がある。超臨界状態の場合は圧力に対応した飽和温度がないため、過冷却度が出せない形となる。
【００３８】
そして、ステップＳ１０３では、
ガスクーラ２４の出口過冷却度の検出値＞予め定めた基準過冷却度
のときインジェクションをＯＮにする。
【００３９】
これは、ガスクーラ２４の出口過冷却度が大きければ、ガスクーラ２４に液冷媒が貯まっていると推定する。そして、ガスクーラ２４に冷媒があり中間圧レシーバ２５は満液でないと判断して、インジェクションをＯＮにするものである。
【００４０】
（ケース２−２）
まずステップＳ１０２では、ガスクーラ２４の圧力または吐出圧力を検出することによりガスクーラ２４の冷媒量を推定する。ここで、ガスクーラ２４の圧力または吐出圧力は圧力センサ等の既知の手法により検出すればよい。
【００４１】
そして、ステップＳ１０３では、
ガスクーラ２４の圧力または吐出圧力の検出値＞予め定めた基準圧力
のときインジェクションをＯＮにする。
【００４２】
これは、ガスクーラ２４の圧力または吐出圧力が高ければ、ガスクーラ２４内の冷媒の密度が大きいため、ガスクーラ２４内に冷媒があり中間圧レシーバ２５は満液でないと判断して、ガスインジェクションを行なうものである。
【００４３】
（ケース２−３）
まずステップＳ１０２では、（ケース２−１）＋（ケース２−２）の組み合わせでガスクーラ２４の冷媒量を推定する。すなわち、ガスクーラ２４の出口過冷却度、ガスクーラ２４の圧力または吐出圧力を検出することによりガスクーラ２４の冷媒量を推定する。
【００４４】
そして、ステップＳ１０３では、
ガスクーラ２４の出口過冷却度の検出値＞予め定めた基準過冷却度
かつ
ガスクーラ２４の圧力または吐出圧力の検出値＞予め定めた基準圧力
のときインジェクションをＯＮにする。
【００４５】
ガスクーラ２４の出口過冷却度の検出値と、ガスクーラ２４の圧力または吐出圧力の検出値とを組み合わせることで、より正確にエバポレータ２２内の冷媒量を推定できる。
【００４６】
上記のケース（１−１）〜（１−３）と、ケース（２−１）〜（２−３）は、以下のようにして使い分けることができる。
Ａ）ガスクーラ２４の容量＜＜エバポレータ２２の容量の場合は、ケース（１−１）〜（１−３）のいずれか一つの、エバポレータ２２の検出値に基づいてインジェクションＯＮを判断する。
Ｂ）ガスクーラ２４の容量＞＞エバポレータ２２の容量の場合は、ケース（２−１）〜（２−３）のいずれか一つの、ガスクーラ２４の検出値に基づいてインジェクションＯＮを判断する。
Ｃ）ガスクーラ２４の容量≒エバポレータ２２の容量の場合は、ケース（１−１）〜（１−３）のいずれか一つと、ケース（２−１）〜（２−３）ののいずれか一つとの、両者の冷媒量推定値でインジェクションＯＮを判断する。
【００４７】
上述したように、エバポレータ２２の出口過熱度または吸入過熱度、エバポレータ２２の圧力または吸入圧力、ガスクーラ２４の出口過冷却度、ガスクーラ２４の圧力または吐出圧力を、予め定めた基準値と比較し、所定の条件を満たしたにインジェクションをＯＮするようにしたので、液位センサを用いることなく、中間圧レシーバ２５の液位が満液でない場合にインジェクションをＯＮにすることができる。また、インジェクションをＯＮして冷媒を流すことなく、事前にインジェクションをＯＮにするか否かの判定を行える。
このようにして、低コストで圧縮機２１に液冷媒が流れ込むのを確実に防止することが可能となる。
【００４８】
給湯システム１の構成を示したが、その構成は、本発明の主旨を逸脱しない範囲であれば、適宜の変更を許容する。
また、上記実施の形態で挙げた制御において、判定のための基準値は適宜設定すればよい。
これ以外にも、本発明の主旨を逸脱しない限り、上記実施の形態で挙げた構成を取捨選択したり、他の構成に適宜変更することが可能である。
【符号の説明】
【００４９】
１…給湯システム、２…ヒートポンプユニット（ヒートポンプ装置）、３…貯湯ユニット、２１…圧縮機、２１Ｈ…高段側圧縮機、２１Ｌ…低段側圧縮機、２２…エバポレータ（第一の熱交換器）、２３…アキュムレータ、２４…ガスクーラ（第二の熱交換器）、２５…中間圧レシーバ、２８…インジェクション電磁弁、２９…制御部、３０…貯湯タンク、３１…水ポンプ、５０…インジェクション回路
【図１】
0005730074.tif 000002
【図２】
0005730074.tif 000003